(57)【要約】【課題】ケーキ類などの食品を包装収納する紙箱１において、紙箱１をその都度開放して内部の食品に形崩れなど起生させることのない、形状を良好に保った状態のまま密封状紙箱１の外側より保冷体５４を容易に出し入れさせて、極めて簡単な手間で食品の品質を図る。【解決手段】生菓子などの食品を収納する紙箱１の内面に、紙箱１の外側より挿入させて保持する保冷体５４の収納保持部５５を設ける。【選択図】        図１
2004359312.tif 000002
【特許請求の範囲】
【請求項１】
生菓子などの食品を収納する紙箱の内面に、紙箱の外側より挿入させて保持する保冷体の収納保持部を設けたことを特徴とする紙箱の保冷体収納構造。
【請求項２】
紙箱内面にシート部材の周縁を固着させ、シート部材周縁内の紙箱外面に保冷体挿入用の切り口を開設させ、切り口から紙箱内に保冷体を挿入させたことを特徴とする請求項１記載の紙箱の保冷体収納構造。
【発明の詳細な説明】
【０００１】
【発明の属する技術分野】
本発明は低温度に保つ必要のあるケーキなど保冷食品を収納する紙箱の保冷体収納構造に関する。
【０００２】
【従来の技術】
低温度下で持ち運びする必要のあるケーキなど生菓子類を収納する紙箱にあっては、生菓子類の悪化を防ぐため、アイスパック（水や保冷剤をビニールシートで密封包装したパック状のものを凍らせたもの）やドライアイスなどの保冷体を生菓子類と一緒に紙箱にすることは従来より行われており、紙箱内全体を効率的に冷やす技術として、保冷体を収納する収容ケースを箱内の天井部分に収容保持する技術がある。（例えば特許文献１参照）
【０００３】
【特許文献１】実用新案登録第３０８７１７３号公報
【０００４】
【発明が解決しようとする課題】
しかし乍ら、上記の如き従来技術の場合、保冷体を収容或いは取出しを行うときには、その都度紙箱を開放する必要があり、極めて煩らしいばかりでなく、被包装物である食品に形状崩れを生じさせるなどの不都合があった。
【０００５】
【課題を解決するための手段】
したがって本発明は、生菓子などの食品を収納する紙箱の内面に、紙箱の外側より挿入させて保持する保冷体の収納保持部を設けて、紙箱内の食品を形崩れなど起生させることなく良好に保った状態のまま密封状紙箱の外側より保冷体を容易に出し入れさせて、極めて簡単な手間で食品の品質保持を容易に図るものである。
【０００６】
また、紙箱内面にシート部材の周縁を固着させ、シート部材周縁内の紙箱外面に保冷体挿入用の切り口を開設させ、切り口から紙箱内に保冷体を挿入させて、既存の紙箱にシート部材と切り口を設ける簡単且つ安価な手段で紙箱内の食品の良好な保冷を行って、食品の品質保持を図るものである。
【０００７】
【発明の実施の形態】
以下、本発明の実施例を図面に基づいて記述する。図１は本発明に係る紙箱の斜視図、図２は同紙箱の蓋ケースの展開説明図であり、デコレーションケーキなどの食品を包装収納する紙箱１は、下部収納ケース２と、該収納ケース２に開閉自在に嵌合させる蓋ケース３とを備えている。
【０００８】
図２に示す如く、前記蓋ケース３は一枚の台紙４から成り、中央４角形の上蓋板５の４方側縁に各折り目６・７及び８・９を介し前後及び左右に対向させる４角形の側壁１０・１１及び１２・１３を連設させ、左右側壁１２・１３の外端縁に折り目１４・１５を介し接着片１６・１７を連設させ、前後側壁１０・１１の外端縁に折り目１８・１９を介し台形の接着片２０・２１を連設させると共に、接着片２０・２１の斜状左右外端縁に折り目２２・２３及び２４・２５を介し各係合片２６・２７及び２８・２９を連設させている。
【０００９】
また、前後側壁１０・１１の左右外端縁に折り目３０・３１及び３２・３３を介し接着片３４・３５及び３６・３７を連設させて、前後側壁１０・１１の内面に接着片３４・３５及び３６・３７の内面を接合固定させると共に、左右側壁１２・１３の前後側縁に折り目３８ａ・３８ｂ及び３９ａ３９ｂを介し接合片４０・４１及び４２・４３を連設させ、各接着片３４・３５・３６・３７と接合片４０・４２・４１・４３間に山形状の切り目４４・４５・４６・４７をそれぞれ中央に有する折り目４８・４９・５０・５１を形成させている。
【００１０】
さらに、上蓋板５と側壁１０との間の折り目６に（門形状の）切り口５２を形成させると共に、不織布・レーヨンなど形成する４角形のシート部材５３の４辺外側端部５３ａを上蓋板５と側壁１０との内面に接着固定させるもので、上蓋板５の大部分を覆う状態にシート部材５３の３辺外側端部５３ａを接着させると共に、折り目６より若干中央寄りの側壁１０に残り１辺の外側端部５３ａを接着させ、上蓋板５及び側壁１０とシート部材５３中央部間に密着しない保冷体５４などの収納スペース５５を形成させ、前記切り口５２を収納スペース５５内に配置させ、折り目６上に設ける切り口５２両端の切込み５２ａを上蓋板５に形成させて、切り口５２を介し収納スペース５５に対する保冷体５４などの出し入れを行うように形成している。
【００１１】
そして図３に示す如く、折り目１４・１５を介して接着片１６・１７を内側に折り畳んで接着剤などによって側壁１２・１３内面に接着させ、次に折り目９・３１・３３を介して右側の側壁１３、接着片３５・３７、接合片４２・４３を内側に折り畳んで上蓋板５、側壁１０・１１内面に重ね合わせ、側壁１０・１１内面に接着剤などを用いて接着片３５・３７内面を接着固定させ、次に折り目８・３０・３２を介して左側の側壁１２、接着片３４・３６、接合片４０・４１を内側に折り畳んで、側壁１３及び接合片４２・４３の折り畳み外面に側壁１２及び接合片４０・４１の内面を重ね合わせると共に、側壁１０・１１内面に接着剤などを用いて接着片３４・３６内面を接着固定させる。
【００１２】
その後、折り目１８・１９を介して接着片２０・２１と各係合片２６・２７及び２８・２９を内側に折り畳んで各接着片３４・３５及び３６・３７の折り畳み外面にこれらの内面を重ね合わせ、接着片２０・２１の内面を接着剤などを用いて各接着片３４・３５及び３６・３７の折り畳み外面に接着固定させる。
【００１３】
このようにして平坦状に折り畳みされた紙箱１は、図４に示す如く、左右の側壁１２・１３を起立させるとき、各接合片４０・４１・４２・４３によって前後の側壁１０・１１を引張って起立させ、上方を開口部とした４角立方形の蓋ケース３を形成させるもので、前後の側壁１０・１１に沿う状態に起立する各接合片４０・４１及び４２・４３の上端縁を側壁１０・１１と折り畳んだ各接合片２６〜２９との間に挿入係合させると共に、各係合片２６〜２９の左右外側端の各折曲片２６ａ・２７ａ・２８ａ・２９ａを側壁１２・１３内面に折曲接合させて、蓋ケース３の立設保持を図るように構成している。
【００１４】
上記の如く、組立てられた紙箱１にデコレーションケーキ・シュークリーム・プリンなどの生菓子を収納すると共に、アイスパック（水やジェル状の保冷剤をプラスチック製の柔軟性シートで密封包装したパック状のものを凍らせたもの）或いはドライアイス等の保冷体５４を前記切り口５２より上蓋板５内側の収納スペース５５内に挿入保持させて、紙箱１の天井部分からの保冷体５４による冷気を降下させて、冷気のシャワー効果で紙箱１内に収納する生菓子を効率良く冷やして品質を保持させる。
【００１５】
また、この場合図６にも示す如く、紙箱１に対する保冷体５４の出し入れ時にはその都度蓋ケース３を開放させるなどの手間の煩わしさなく、紙箱１の密封状態を保った状態のまま切り口５２より上蓋板５を押し開いて紙箱１の外側より保冷体５４の容易な出し入れを可能とさせて、包装後の保冷体５４の供給も容易とさせて、包装作業などでの能率向上化を図ることができる。
【００１６】
上記からも明らかなように、生菓子などの食品を収納する紙箱１の内面に、紙箱１の外側より挿入させて保持する保冷体５４の収納保持部である収納スペース５５を設けたことによって、紙箱１内の食品を形崩れなどを起生させることなく良好に保った状態のまま密封状紙箱の外側より保冷体５４を容易に出し入れさせて、極めて簡単な手間で食品の品質保持を容易に図ることができる。
【００１７】
また、紙箱１内面にシート部材５３の周縁を固着させ、シート部材５３周縁内の紙箱１外面に保冷体挿入用の切り口５２を開設させ、切り口５２から紙箱１内に保冷体５４を挿入させたことによって、既存の紙箱１にシート部材５３や切り口５２を設ける簡単且つ安価な手段で紙箱１内の食品の良好な保冷を行って、食品の品質保持を図ることができる。
【００１８】
さらに、保冷体５４を収納するシート部材５３に不織布を用いることによって、シート部材５３の表面に結露させ、生菓子などの収納食品に水を滴下させて商品価値を低下させるなどの不都合の防止が図れる。
【００１９】
また、シート部材５３で形成する収納スペース５５には保冷体５４以外にもローソク・ティッシュペーパー・合成樹脂製ケーキカッタなど各種必要商品の収納を可能とさせるものである。
【００２０】
さらに、紙箱１は図７に示す如き長方体形の紙箱１ａや、図８、図９に示す如きサイドオープン形の紙箱１ｂや、図１０に示す如き取手５６を有する手提紙箱１ｃなど何れの形態でも良く、また保冷体５４の収納位置も図１０に示す如き紙箱１ｃの側壁部分など何れの位置でも良い。
【００２１】
そして図８、図９に示す如きサイドオープン形紙箱１ｂにおいては、紙箱本体部５７に折り目５８を介し上蓋部５９を開閉自在に連接させ、上蓋部５９に隣接する本体部５７の側壁６０と上蓋部５９との内面に前述のシート部材５３の周縁を固着させると共に、折り目５８上に切り口５２を形成させて、前述実施例同様切り口５２より上蓋部５９内面側の収納スペース５５に保冷体５４を挿入して保持させる。また図１０に示す如き手提紙箱１ｃにおいては、取手５６を形成する上蓋部６１と、上蓋部６１に連接する側壁部６２との内面にシート部材５３の周縁を固着させ、上蓋部６１と側壁部６２との折り目６３上に切り口５２を形成させて、側壁部６２の内面側に設ける収納スペース５５に切り口５２より保冷体５４を挿入させて収納保持させるもので、収納スペース５５の確保困難な上蓋部６１が両開き構造の紙箱１ｃにおいて保冷体５４を良好に紙箱１ｃ内に収納可能とさせることができる。なお図１１に示す如く前記手提紙箱１ｃにおいて、上蓋部６１の内面側に固着させるシート部材５３の面積割合を大とさせることによって、上蓋部６１内面側に収納スペース５５を確保して上蓋部６１内面にも保冷体５４の収納を可能とさせるもので、何れの形態の紙箱１・１ａ・１ｂ・１ｃにおいても上蓋部（天井部）或いは側壁部の何れに保冷体５４を収納させても良い。
【００２２】
【発明の効果】
以上実施例からも明らかなように本発明は、生菓子などの食品を収納する紙箱１の内面に、紙箱１の外側より挿入させて保持する保冷体５４の収納保持部５５を設けたものであるから、紙箱１内の食品を形崩れなど起生させることなく良好に保った状態のまま密封状紙箱の外側より保冷体５４を容易に出し入れさせて、極めて簡単な手間で食品の品質保持を容易に図ることができるものである。
【００２３】
また、紙箱１内面にシート部材５３の周縁を固着させ、シート部材５３周縁内の紙箱１外面に保冷体挿入用の切り口５２を開設させ、切り口５２から紙箱１内に保冷体５４を挿入させたものであるから、既存の紙箱１にシート部材５３と切り口５２を設ける簡単且つ安価な手段で紙箱１内の食品の良好な保冷を行って、食品の品質保持を図ることができるものである。
【図面の簡単な説明】
【図１】紙箱の斜視説明図。
【図２】紙箱の蓋ケースの展開説明図。
【図３】シート部材の配置説明図。
【図４】紙箱の折畳み状態の説明図。
【図５】紙箱の組立状態の説明図。
【図６】保冷体の出し入れ状態を表す説明図。
【図７】紙箱の他の変形構造の説明図。
【図８】サイドオープン形紙箱の斜視説明図。
【図９】サイドオープン形紙箱の断面説明図。
【図１０】手提紙箱における保冷体の側壁部収納状態を表す斜視図。
【図１１】手提紙箱における保冷体の上蓋部収納状態を表す斜視図。
【符号の説明】
１    紙箱
５２  切り口
５３  シート部材
５４  保冷体
５５  収納スペース（収納保持部）
【図１】
2004359312.tif 000003
【図２】
2004359312.tif 000004
【図３】
2004359312.tif 000005
【図４】
2004359312.tif 000006
【図５】
2004359312.tif 000007
【図６】
2004359312.tif 000008
【図７】
2004359312.tif 000009
【図８】
2004359312.tif 000010
【図９】
2004359312.tif 000011
【図１０】
2004359312.tif 000012
【図１１】
2004359312.tif 000013